【手続補正書】
【提出日】平成26年9月26日(2014.9.26)
【手続補正１】
【補正対象書類名】特許請求の範囲
【補正対象項目名】全文
【補正方法】変更
【補正の内容】
【特許請求の範囲】
【請求項１】
（Ａ）染料、（Ｂ）溶剤及び（Ｃ）バインダー樹脂を含む着色樹脂組成物であって、
該（Ａ）染料が、下記式（Ｉ）で表される化合物を含むことを特徴とする、着色樹脂組成物。
【化１】
2013087248.tif 000001
（前記式中、Ａn+は、ｎ価の染料のカチオンを表す。
ｋ、ｍ、ｎ、ｐ及びｑは、各々独立に、１〜４の整数を表す。
但し、ｐ×ｑ＝ｍ×ｎである。
Ｒaは、置換基を有していてもよい炭素数１〜８のアルキル基、置換基を有していてもよい１価の芳香族炭化水素環基又は置換基を有していてもよい１価の複素環基を表す。
Ａｒaは、直接結合、置換基を有していてもよい２〜ｐ＋１価の芳香族炭化水素環基、置換基を有していてもよい２〜ｐ＋１価の脂肪族炭化水素基又は置換基を有していてもよい２〜ｐ＋１価の複素環基を表す。
Ｘ1〜Ｘ3は、各々独立に、直接結合、−（ＣＨ2）−、−ＮＨ−、−Ｏ−及び−Ｓ−からなる群より選ばれる１つの基又はこれらが２以上結合してなる基を表し、
Ｒ1a及びＲ2aは、水素原子、置換基を有していてもよい炭素数１〜１２の炭化水素基、置換基を有していてもよい１価の芳香族炭化水素環基、置換基を有していてもよい１価の複素環基又は下記式（Ｉ−１）で表される基を表す。
【化２】
2013087248.tif 000002
（上記式（Ｉ−１）中、＊は、連結部位を表す。）
但し、ＡｒaとＸ1は、同時に直接結合になることはない。）
【請求項２】
前記式（Ｉ）中のＲaが、フルオロ基を置換基として有する炭素数１〜８のアルキル基、又はハメット則において、置換基定数σが０＜σ＜１．５である基を置換基として有するフェニル基であることを特徴とする、請求項１に記載の着色樹脂組成物。
【請求項３】
前記式（Ｉ）で表される化合物が、下記式（ＩＩ）で表されることを特徴とする、請求項１又は２に記載の着色樹脂組成物。
【化３】
2013087248.tif 000003
（上記式（ＩＩ）中、Ｒa、Ｒ1a、Ｒ2a、Ｘ1〜Ｘ3、Ａｒa、ｋ及びｍ、前記式（Ｉ）におけると同義である。
Ｒ1〜Ｒ6は、各々独立に、水素原子、置換基を有していてもよい炭素数１〜８のアルキル基、又は置換基を有していてもよい１価の芳香族環基を表す。
隣接するＲ1〜Ｒ6同士が連結して環を形成してもよく、該環は、置換基を有していてもよい。
Ｒ7及びＲ8は、水素原子、又は任意の置換基を表す。
Ｒ7及びＲ8は、互いに連結して環を形成していてもよく、該環は置換基を有していてもよい。
また、上記式（ＩＩ）中のベンゼン環は、更に任意の置換基を有していてもよい。
Ｒ101及びＲ102は、水素原子、置換基を有していてもよい炭素数１〜８のアルキル基、置換基を有していてもよい炭素数２〜６のアルケニル基、置換基を有していてもよい１価の芳香族環基、又はフッ素原子を表す。
Ｒ101とＲ102は、互いに連結して環を形成していてもよく、該環は置換基を有していてもよい。
尚、一分子中に複数の下記式（ＩＩ）CAで表されるカチオン
【化４】
2013087248.tif 000004
が含まれる場合、それらは同じ構造であっても、異なる構造であってもよい。）
【請求項４】
前記式（Ｉ）で表される化合物が、下記式（ＩＩＩ）で表されることを特徴とする、請求項１又は２に記載の着色樹脂組成物。
【化５】
2013087248.tif 000005
（上記式（ＩＩＩ）中、Ｒa、Ｒ1a、Ｒ2a、Ｘ1〜Ｘ3、Ａｒa、ｋ及びｍ、前記式（Ｉ）におけると同義である。
Ｒ11〜Ｒ16は、各々独立に、水素原子、置換基を有していてもよいアルキル基、又は置換基を有していてもよい１価の芳香族環基を示す。
隣接するＲ11〜Ｒ16同士が連結して環を形成していてもよく、該環は置換基を有していてもよい。
Ｒ17及びＲ18は、各々独立に、水素原子、又は任意の置換基を表す。
Ｒ17及びＲ18は、互いに連結して環を形成していてもよく、該環は置換基を有していてもよい。
又、上記式（ＩＩＩ）中のベンゼン環及びインドール環は更に任意の置換基を有していてもよい。
尚、１分子中に複数の下記式（ＩＩＩ）CAで表されるカチオン
【化６】
2013087248.tif 000006
が含まれる場合、それらは同じ構造であっても、異なる構造であってもよい。）
【請求項５】
更に、（Ｄ）重合性モノマーを含有することを特徴とする、請求項１〜４のいずれか一項に記載の着色樹脂組成物。
【請求項６】
更に、（Ｅ）光重合開始成分及び／又は熱重合開始成分を含有することを特徴とする、請求項１〜５のいずれか一項に記載の着色樹脂組成物。
【請求項７】
請求項１〜６に記載の着色樹脂組成物を用いて形成された画素を有することを特徴とする、カラーフィルタ。
【請求項８】
請求項７に記載のカラーフィルタを有することを特徴とする、液晶表示装置。
【請求項９】
請求項７に記載のカラーフィルタを有することを特徴とする、有機ＥＬ表示装置。
【請求項１０】
下記式（Ｉ）で表される化合物を含むことを特徴とする、染料。
【化７】
2013087248.tif 000007
（前記式中、Ａn+は、ｎ価の染料のカチオンを表す。
ｋ、ｍ、ｎ、ｐ及びｑは、各々独立に、１〜４の整数を表す。
但し、ｐ×ｑ＝ｍ×ｎである。
Ｒaは、置換基を有していてもよい炭素数１〜８のアルキル基、置換基を有していてもよい１価の芳香族炭化水素環基又は置換基を有していてもよい１価の複素環基を表す。
Ａｒaは、直接結合、置換基を有していてもよい２〜ｐ＋１価の芳香族炭化水素環基、置換基を有していてもよい２〜ｐ＋１価の脂肪族炭化水素基又は置換基を有していてもよい２〜ｐ＋１価の複素環基を表す。
Ｘ1〜Ｘ3は、各々独立に、直接結合、−（ＣＨ2）−、−ＮＨ−、−Ｏ−及び−Ｓ−からなる群より選ばれる１つの基又はこれらが２以上結合してなる基を表し、
Ｒ1a及びＲ2aは、水素原子、置換基を有していてもよい炭素数１〜１２の炭化水素基、置換基を有していてもよい１価の芳香族炭化水素環基、置換基を有していてもよい１価の複素環基又は下記式（Ｉ−１）で表される基を表す。
【化８】
2013087248.tif 000008
（上記式（Ｉ−１）中、＊は、連結部位を表す。）
但し、ＡｒaとＸ1は、同時に直接結合になることはない。）
【請求項１１】
前記式（Ｉ）中のＲaが、フルオロ基を置換基として有する炭素数１〜８のアルキル基、又はハメット則において、置換基定数σが０＜σ＜１．５である基を置換基として有するフェニル基であることを特徴とする、請求項１０に記載の染料。
【請求項１２】
前記式（Ｉ）で表される化合物が、下記式（ＩＩ）で表されることを特徴とする、請求項１０又は１１に記載の染料。
【化９】
2013087248.tif 000009
（上記式（ＩＩ）中、Ｒa、Ｒ1a、Ｒ2a、Ｘ1〜Ｘ3、Ａｒa、ｋ及びｍ、前記式（Ｉ）におけると同義である。
Ｒ1〜Ｒ6は、各々独立に、水素原子、置換基を有していてもよい炭素数１〜８のアルキル基、又は置換基を有していてもよい１価の芳香族環基を表す。
隣接するＲ1〜Ｒ6同士が連結して環を形成してもよく、該環は、置換基を有していてもよい。
Ｒ7及びＲ8は、水素原子、又は任意の置換基を表す。
Ｒ7及びＲ8は、互いに連結して環を形成していてもよく、該環は置換基を有していてもよい。
また、上記式（ＩＩ）中のベンゼン環は、更に任意の置換基を有していてもよい。
Ｒ101及びＲ102は、水素原子、置換基を有していてもよい炭素数１〜８のアルキル基、置換基を有していてもよい炭素数２〜６のアルケニル基、置換基を有していてもよい１価の芳香族環基、又はフッ素原子を表す。
Ｒ101とＲ102は、互いに連結して環を形成していてもよく、該環は置換基を有していてもよい。
尚、一分子中に複数の下記式（ＩＩ）CAで表されるカチオン
【化１０】
2013087248.tif 000010
が含まれる場合、それらは同じ構造であっても、異なる構造であってもよい。）
【請求項１３】
前記式（Ｉ）で表される化合物が、下記式（ＩＩＩ）で表されることを特徴とする、請求項１０又は１１に記載の染料。
【化１１】
2013087248.tif 000011
（上記式（ＩＩＩ）中、Ｒa、Ｒ1a、Ｒ2a、Ｘ1〜Ｘ3、Ａｒa、ｋ及びｍ、前記式（Ｉ）におけると同義である。
Ｒ11〜Ｒ16は、各々独立に、水素原子、置換基を有していてもよいアルキル基、又は置換基を有していてもよい１価の芳香族環基を示す。
隣接するＲ11〜Ｒ16同士が連結して環を形成していてもよく、該環は置換基を有していてもよい。
Ｒ17及びＲ18は、各々独立に、水素原子、又は任意の置換基を表す。
Ｒ17及びＲ18は、互いに連結して環を形成していてもよく、該環は置換基を有していてもよい。
又、上記式（ＩＩＩ）中のベンゼン環及びインドール環は更に任意の置換基を有していてもよい。
尚、１分子中に複数の下記式（ＩＩＩ）CAで表されるカチオン
【化１２】
2013087248.tif 000012
が含まれる場合、それらは同じ構造であっても、異なる構造であってもよい。）